(57)【要約】【課題】支柱を容易に取り付け可能な室外ユニットを提供する。【解決手段】板金製の外装体１１が底板１２と支柱１４と支柱間に掛け渡される一対の側面材１１および一対の端面材１５とで構成されており、当該外装体１１の天面にファンガードが配置され、ファンガードの下方に室外熱交換器用のプロペラファンが配置された室外ユニットにおいて、支柱１４の下端７０に底板１２に設けた凸片６１が嵌る孔部７１が形成され、この孔部７１に凸片６１を嵌めて仮固定して支柱１４と底板１２とをビス止め可能とした。【選択図】図８
2014129923.tif 000002
【特許請求の範囲】
【請求項１】
板金製の外装体が底板と支柱と支柱間に掛け渡される一対の側面材および一対の端面材とで構成されており、当該外装体の天面にファンガードが配置され、ファンガードの下方に室外熱交換器用のプロペラファンが配置された室外ユニットにおいて、
前記支柱の下端に前記底板に設けた凸片が嵌る孔部が形成され、この孔部に凸片を嵌めて仮固定して前記支柱と前記底板とをビス止め可能とした、
ことを特徴とする室外ユニット。
【請求項２】
前記底板の側面が上方に曲げて立ち上げられ、この立ち上がり部に前記支柱が浮いた状態でビス止めされていることを特徴とする請求項１に記載の室外ユニット。
【請求項３】
前記孔部が横長の角孔であることを特徴とする請求項１又は２に記載の室外ユニット。
【請求項４】
前記支柱が板材を折り曲げて形成され、隅部の平坦面に前記孔部が形成されていることを特徴とする請求項１乃至３の何れかに記載の室外ユニット。
【請求項５】
前記底板の立ち上がり部が当該底板の端部において終端し、この立ち上がり部が除かれた端部に前記凸片が形成され、この凸片に嵌る位置に前記支柱の孔部が形成されていることを特徴とする請求項２に記載の室外ユニット。
【発明の詳細な説明】
【技術分野】
【０００１】
本発明は、底板に支柱を固定した外装体を備えた室外ユニットに関する。
【背景技術】
【０００２】
従来、外装体を、底板に支柱を固定するとともに支柱間に側面材を掛け渡して形成した空気調和装置の室外ユニットが知られている（例えば、特許文献１参照）。この室外ユニットでは、まず、支柱の下端をビスで底板に固定し、その後、支柱の上端をビスで横材に固定して、支柱を取り付けている。
【先行技術文献】
【特許文献】
【０００３】
【特許文献１】特許第３１１０２１６号公報
【発明の概要】
【発明が解決しようとする課題】
【０００４】
しかしながら、上記従来の構成では、比較的長い支柱を支えながら当該支柱の下端をビスで底板に固定する必要があるため、支柱を取り付ける作業が困難であり、２人で作業を行っていた。
本発明は、上述した事情に鑑みてなされたものであり、支柱を容易に取り付け可能な室外ユニットを提供することを目的とする。
【課題を解決するための手段】
【０００５】
上記目的を達成するために、本発明は、板金製の外装体が底板と支柱と支柱間に掛け渡される一対の側面材および一対の端面材とで構成されており、当該外装体の天面にファンガードが配置され、ファンガードの下方に室外熱交換器用のプロペラファンが配置された室外ユニットにおいて、前記支柱の下端に前記底板に設けた凸片が嵌る孔部が形成され、この孔部に凸片を嵌めて仮固定して前記支柱と前記底板とをビス止め可能とした、ことを特徴とする。
【０００６】
上記構成において、前記底板の側面が上方に曲げて立ち上げられ、この立ち上がり部に前記支柱が浮いた状態でビス止めされていてもよい。
【０００７】
上記構成において、前記孔部が横長の角孔であってもよい。
【０００８】
上記構成において、前記支柱が板材を折り曲げて形成され、隅部の平坦面に前記孔部が形成されていてもよい。
【０００９】
上記構成において、前記底板の立ち上がり部が当該底板の端部において終端し、この立ち上がり部が除かれた端部に前記凸片が形成され、この凸片に嵌る位置に前記支柱の孔部が形成されていてもよい。
【発明の効果】
【００１０】
本発明によれば、支柱の下端に底板に設けた凸片が嵌る孔部が形成され、この孔部に凸片を嵌めて仮固定して支柱と底板とをビス止め可能としたため、支柱の下端を底板に仮固定できるので、作業者は支柱を片手で支えながら支柱を底板に容易にビス止めできる。
【図面の簡単な説明】
【００１１】
【図１】本発明の実施形態に係る室外ユニットを示す斜視図である。
【図２】室外ユニットの内部構成を示す図であり、図１のＩＩ−ＩＩ断面図である。
【図３】フラットファンガードを外した状態の室外ユニットの上部を示す斜視図である。
【図４】図３の室外ユニットの上部を示す分解斜視図である。
【図５】前側天面パネル部を示す斜視図である。
【図６】後側天面パネル部を示す斜視図である。
【図７】フラットファンガードを固定した状態の室外ユニットを示す平面図である。
【図８】支柱を底板に取り付けた状態の室外ユニットを示す斜視図である。
【図９】支柱が固定される部分の底板を拡大して示す斜視図である。
【図１０】支柱を拡大して示す図である。
【発明を実施するための形態】
【００１２】
以下、図面を参照して本発明の実施形態について説明する。
空気調和装置は、室外ユニット１０と室内ユニット（図示せず）とから構成されており、冷媒配管により接続された冷媒回路に冷媒を流して、冷房運転および暖房運転を行う。室外ユニット１０は、室外に設置され、室外空気と熱交換して冷房運転時には冷媒を凝縮させて外気に熱を放出し、暖房運転時には冷媒を蒸発させて外気から熱を取り込むものである。なお、以下に述べる上下および左右といった方向は、室外ユニット１０を設置した状態でその前面側から見た場合の方向を示している。
【００１３】
図１は、室外ユニット１０を示す斜視図であり、図２は、室外ユニット１０の内部構成を示す図であり、図１のＩＩ−ＩＩ断面図である。
室外ユニット１０は、図１に示すように、略直方体箱形状のユニットケース（筐体、外装体）１１を備え、このユニットケース１１は、前後方向に延びる一対の脚部材１３，１３上に架け渡されて固定される底板１２と、この底板１２の４隅から鉛直方向に延びる支柱１４と、前面パネル１５を有して構成される。
底板１２上には、図２に示すように、上面視略コ字形状に屈曲されて形成された熱交換器（室外熱交換器）２１が配置され、この熱交換器２１によってユニットケース１１の背面及び左右両側面が形成されている。この熱交換器２１の上部には、送風装置（軸流型送風装置）２２が配置される。熱交換器２１は、ユニットケース１１の側面部を構成し、このユニットケース１１の左側面から背面及び右側面に沿わせて配置されている。
【００１４】
送風装置２２は、熱交換器２１の上方に配置されるファンモーター２３と、このファンモーター２３の軸に取り付けられたプロペラファン（羽根車）２４とを備えて構成される。隣接する支柱１４，１４間には、熱交換器２１の上端に相当する位置で当該支柱１４，１４を連結する連結部材１６，１６（図４参照）が設けられ、ファンモーター２３は、これら連結部材１６，１６間に架け渡された支持フレーム１７，１７に固定される。
プロペラファン２４の周囲には、プロペラファン２４の吸込側の空気を吹出側に案内するベルマウス２５が設けられ、このベルマウス２５の吹出開口２５Ａの上方は、図２に示すように、プロペラファン２４への人体などの接触を防止するフラットファンガード（ファンガード）４０で覆われる。また、ベルマウス２５の周囲には、化粧パネル２７が設けられている。
【００１５】
ファンモーター２３によりプロペラファン２４が回転駆動されると、室外ユニット１０の周囲、より具体的には図中矢印Ｘで示すように、ユニットケース１１の前面を除いた左側面側、背面側及び右側面側から外気がユニットケース１１内に吸い込まれ、このユニットケース１１の上面部に設けられたベルマウス２５の吹出開口２５Ａを通じて外に排出される。つまり、この室外ユニット１０は、上面から熱交換後の空気を吹き出す上面吹き出しタイプに構成されている。
【００１６】
ユニットケース１１内には、底板１２上に、図示は省略するが、冷媒回路の一部を構成する圧縮機、アキュムレータ、オイルセパレーター及びレシーバータンクが設けられるとともに、四方弁や膨張弁といった弁体などの冷媒回路構成部品が配管接続されて収容される。これら冷媒回路構成部品の配管の一端側は、熱交換器２１を介して室内ユニットと配管接続され、当該冷媒回路構成部品の配管の他端側は室内ユニットに配管接続され、これにより、冷媒を循環する冷媒回路が構成される。
また、本構成では、圧縮機は、ユニットケース１１の前面側に配置され、この圧縮機の上方空間に空気調和装置を制御する制御基板などの各種電装ユニットを配設した電装箱５０が配置される。このため、前面パネル１５を取り外すことによって、作業者が前面側からユニットケース１１内の部品のメンテナンス作業を容易に行うことができる。符号２９は、圧縮機の上方、後方、及び左右側方に設けられ、圧縮機に直接雨滴がかからないようにするためのカバー板である。
【００１７】
次に、室外ユニット１０の上部の構造について説明する。
図３は、フラットファンガード４０を外した状態の室外ユニット１０の上部を示す斜視図である。図４は、図３の室外ユニット１０の上部を示す分解斜視図である。図５は、前側天面パネル部３３Ａを示す斜視図である。図６は、後側天面パネル部３３Ｂを示す斜視図である。図７は、フラットファンガード４０を固定した状態の室外ユニット１０を示す平面図である。
ベルマウス２５の後方及び左右側方は、図３及び図４に示すように、それぞれ背面パネル体３１及び側面パネル体（側板）３２，３２によって覆われている。ベルマウス２５は、ユニットケース１１の短尺長さ（本実施形態では、左右方向の幅）と略同一の大きさに形成されるとともに、吹出開口２５Ａに側面パネル体３２，３２に沿う直線部２５Ｂ，２５Ｂを備えている。各パネル体３１，３２は、上部を内側に折り曲げて形成した上端面（天面）３１Ａ，３２Ａを備えている。背面パネル体３１及び側面パネル体３２，３２は、側部が支柱１４に、下端が連結部材１６，１６に固定されている。
背面パネル体３１及び側面パネル体３２，３２には天面パネル体（端板）３３が設けられている。これらパネル体３１−３３は、板金製であり、ユニットケース（外装体）１１を構成している。
【００１８】
天面パネル体３３には、ベルマウス２５の吹出開口２５Ａを露出させる略円形の開口（内周部）３４が形成されている。天面パネル体３３は、前側天面パネル部３３Ａと、後側天面パネル部３３Ｂとを備えて半割一対に構成されている。本実施形態では、前側天面パネル部３３Ａと後側天面パネル部３３Ｂとは、ベルマウス２５の直線部２５Ｂ，２５Ｂの分だけ間を空けて設けられている。
【００１９】
前側天面パネル部３３Ａは、図５に示すように、ベルマウス２５（図４）の上方に位置する天面材３３Ａ１と、天面材３３Ａ１から立設する立設面３３Ａ２と、立設面３３Ａ２から前方の前面パネル１５（図１）に延出する上端面（天面）３３Ａ３とを一体に備えて構成されている。
後側天面パネル部３３Ｂは、図６に示すように、ベルマウス２５の上方に位置する天面材３３Ｂ１と、天面材３３Ｂ１から立設する立設面３３Ｂ２と、立設面３３Ｂ２から後方の背面パネル体３１に延出する上端面（天面）３３Ｂ３とを一体に備えて構成されている。
【００２０】
天面材３３Ａ１，３３Ｂ１の両側部には、図４−図６に示すように、下方に延出する延出片３３Ａ４，３３Ｂ４が設けられている。この延出片３３Ａ４，３３Ｂ４は、天面パネル部３３Ａ，３３Ｂを構成する板金を折り曲げることにより天面材３３Ａ１，３３Ｂ１と一体に形成されている。前側天面パネル部３３Ａは、上端面３３Ａ３が前面パネル１５（図３）及び支柱１４に、延出片３３Ａ４が側面パネル体３２，３２に固定されている。後側天面パネル部３３Ｂは、上端面３３Ｂ３が背面パネル体３１の上端面３１Ａに、延出片３３Ｂ４が側面パネル体３２，３２に固定されている。
【００２１】
パネル体３１−３３の上端面３１Ａ，３２Ａ，３３Ａ３，３３Ｂ３は、図７に示すように、略矩形状の内周縁３０を構成しており、これらの上端面３１Ａ，３２Ａ，３３Ａ３，３３Ｂ３にフラットファンガード４０が固定されている。
フラットファンガード４０は、フラット形状、且つ、略矩形状に形成されたファンガードであり、外周縁部（外周縁）４０Ａがパネル体３１−３３の内周縁３０よりも小さく形成されている。これにより、フラットファンガード４０とパネル体３１−３３との間に隙間δが形成されるので、フラットファンガード４０とパネル体３１−３３との接触を抑制できる。このフラットファンガード４０は、縦列、横列に複数の細線材４１を配列するとともに、細線材４１の間に太線材４２を配列して構成されている。フラットファンガード４０は、各辺が、複数箇所（本実施形態では、６箇所）でパネル体３１−３３の上端面３１Ａ，３２Ａ，３３Ａ３，３３Ｂ３にビス４９によって固定されている。なお、図７中、符号４３，４４は、いずれかの太線材４２の両端部４２Ａに設けられた、フラットファンガード４０を上端面３１Ａ，３２Ａ，３３Ａ３，３３Ｂ３に取り付けるための取り付け部である。
【００２２】
次に、ユニットケース１１の組立構造について説明する。
図８は、支柱１４を底板１２に取り付けた状態の室外ユニット１０を示す斜視図である。図９は、支柱１４が固定される部分の底板１２を拡大して示す斜視図である。図１０は、支柱１４を拡大して示す図である。
底板１２は、図８及び図９に示すように、板金製であり、四隅のそれぞれに支柱１４の下端７０に設けた孔部７１に嵌る凸片６１が形成されている。凸片６１は、底板１２の隅部を斜めに切り欠いた端縁６１Ａと、端縁６１Ａ両側から凸片６１の基部６１Ｂに延びる側縁６１Ｃ，６１Ｃとを備える平板状に形成され、底板１２と一体に形成されている。凸片６１の基部６１Ｂには、支柱１４が当接する当接面６１Ｄが形成されている。当接面６１Ｄから端縁６１Ａまでの凸片６１の幅Ｗは、少なくとも支柱１４の厚みとなるように設定されている。
【００２３】
底板１２の側部には、底板１２を構成する板金を上方に曲げて立ち上げられて、底板１２と一体に形成された立ち上がり部１２Ａが設けられている。この立ち上がり部１２Ａは、底板１２の四隅の端部６０において終端し、この立ち上がり部１２Ａが除かれた端部６０に凸片６１が形成されている。このように、立ち上がり部１２Ａが除かれた端部６０に凸片６１を形成することにより、底板１２の材料取りを変更することなく凸片６１を設けることができる。
【００２４】
立ち上がり部１２Ａには、支柱１４を固定するための固定孔１２Ａ１が支柱１４に対して少なくとも１つ形成され、この固定孔１２Ａ１を用いて支柱１４が脚部材１３，１３から浮いた状態で立ち上がり部１２Ａに固定される。このように、底板１２の側部を上方に曲げて立ち上げられた立ち上がり部１２Ａに支柱１４を浮いた状態で固定することにより、支柱１４の下方にスペースを確保できるので、底板１２を固定面（例えば、床又は地面等）に固定する作業が容易になる。
【００２５】
各支柱１４は、図８及び図１０に示すように、板金製であり、端面材（前面パネル１５又は背面パネル体３１）に沿って延出するに端面部１４Ａと、側面材（側面パネル体３２）に沿って延出する側面部１４Ｂと、端面部１４Ａと側面部１４Ｂとを斜めに連結する連結部（平坦面）１４Ｃと、側面部１４Ｂの連結部１４Ｃと反対側の縁端に設けられる外側面部１４Ｄとを備えて構成されている。端面部１４Ａ、側面部１４Ｂ、連結部１４Ｃ及び外側面部１４Ｄは、支柱１４を構成する一枚の板金（板材）を折り曲げることにより一体に形成されている。支柱１４は、端面部１４Ａが底板１２の端面材側の縁端６１Ｅに、側面部１４Ｂが底板１２の立ち上がり部１２Ａに、連結部１４Ｃが底板１２の当接面６１Ｄに当接するように形成されている。支柱１４には、ビス７２を挿通させる挿通孔７３が形成されており、この支柱１４は、連結部１４Ｃが底板１２の立ち上がり部１２Ａに、外側面部１４Ｄが側面材（本実施形態では、熱交換器２１の側面部）に固定される。
【００２６】
支柱１４の孔部７１は、折り曲げた支柱１４の隅部に位置する連結部１４Ｃに設けられている。これにより、孔部７１に凸片６１を嵌めると、連結部１４Ｃの両脇の端面部１４Ａ及び側面部１４Ｂがそれぞれ端面部１４Ａ及び立ち上がり部１２Ａに宛がわれて支持されることとなるので、例えば、孔部７１を端面部１４Ａ又は側面部１４Ｂに設ける場合に比べ、支柱１４がバランス良く仮固定される。
孔部７１は、横長の角孔に形成されている。このように、底板１２の凸片６１を平板状にするとともに、孔部７１を横長の角孔に形成することにより、凸片６１が上下方向の力を面で受けることができるので、支柱１４を確実に仮固定できる。
【００２７】
以下、ユニットケース１１の組み立て手順について説明する。
まず、図９に示すように、底板１２を取り付けた一対の脚部材１３，１３を固定面に固定する。ここで、脚部材１３，１３を先に固定面に固定し、固定面に固定した脚部材１３，１３に底板１２を固定してもよい。脚部材１３，１３は、例えば、脚部材１３，１３に形成した固定孔１３Ａにアンカーボルト等の固定具（不図示）を通すことによって固定面に固定される。
次いで、底板１２に、圧縮機や、アキュムレータ、オイルセパレーター、レシーバータンク、冷媒回路構成部品、熱交換器２１等の各種部品を固定する。
【００２８】
次に、図８に示すように、底板１２の四隅のそれぞれに支柱１４を固定する。各支柱１４を底板１２に固定する際には、まず、支柱１４の下端７０の孔部７１が底板１２の凸片６１に嵌まるように、支柱１４を底板１２に宛がう。この凸片６１と孔部７１との嵌り合いにより、支柱１４が底板１２に仮固定されるので、作業者は、片手で支柱１４を保持しながら、支柱１４をビス止めすることができる。その結果、１人の作業者でユニットケース１１を容易に組み立てできるので、ユニットケース１１の組み立てに必要な時間及びコストを削減できる。
【００２９】
そして、図３及び図４に示すように、固定した４つの支柱１４に連結部材１６，１６を固定し、連結部材１６，１６間に架け渡された支持フレーム１７，１７に、送風装置２２及びベルマウス２５を固定する。
次いで、支柱１４及び連結部材１６，１６に、背面パネル体３１及び側面パネル体３２，３２を固定し、これらのパネル体３１に天面パネル体３３を固定する。パネル体３１−３３の上端面３１Ａ，３２Ａ，３３Ａ３，３３Ｂ３には、フラットファンガード４０を固定する。また、支柱１４及び連結部材１６，１６には、図２に示すように、電装箱５０を固定する。
最後に、図１に示すように、前面パネル１５及び化粧パネル２７を支柱１４に固定してユニットケース１１が完成する。なお、ユニットケース１１を組み立てる手順は適宜変更可能である。
【００３０】
以上説明したように、本実施形態によれば、支柱１４の下端７０に底板１２に設けた凸片６１が嵌る孔部７１が形成され、この孔部７１に凸片６１を嵌めて仮固定して支柱１４と底板１２とをビス止め可能とする構成とした。この構成により、支柱１４の下端７０を底板１２に仮固定できるので、作業者は支柱１４を片手で支えながら支柱１４を底板１２に容易にビス止めでき、ひいては、１人の作業者でユニットケース１１を組み立てできる。
【００３１】
また、本実施形態によれば、底板１２の側面が上方に曲げて立ち上げられ、この立ち上がり部１２Ａに支柱１４が浮いた状態でビス止めされている構成とした。この構成により、支柱１４の下方に底板１２を固定面に固定するためのスペースを確保できる。
【００３２】
また、本実施形態によれば、孔部７１が横長の角孔であるため、凸片６１が上下方向の力を面で受けることができるので、支柱１４を確実に保持できる。
【００３３】
また、本実施形態によれば、支柱１４が板材を折り曲げて形成され、隅部の平坦な連結部１４Ｃに孔部７１が形成されている構成とした。この構成により、孔部７１に凸片６１を嵌めると、連結部１４Ｃの両脇が底板１２に宛がわれて支持されることとなるので、支柱１４をバランス良く仮固定できる。
【００３４】
また、本実施形態によれば、底板１２の立ち上がり部１２Ａが当該底板１２の端部６０において終端し、この立ち上がり部１２Ａが除かれた端部６０に凸片６１が形成され、この凸片６１に嵌る位置に支柱１４の孔部７１が形成されている構成とした。この構成により、底板１２を構成する板材に凸片６１を突出させて形成する必要がなくなるので、凸片６１を設けることによる底板１２を構成する板材の歩留まりの低下を抑制できる。
【００３５】
但し、上記実施形態は本発明の一態様であり、本発明の趣旨を逸脱しない範囲において適宜変更可能であるのは勿論である。
例えば、上記実施形態では、フラットファンガード４０はフラット形状、且つ、略矩形状に形成されていたが、フラットファンガード４０の形状はこれに限定されるものではない。
【符号の説明】
【００３６】
１０  室外ユニット
１１  ユニットケース（筐体、外装体）
１２  底板
１２Ａ  立ち上がり部
１４  支柱
１４Ｃ  連結部（平坦面）
１５  前面パネル（端面材）
２１  熱交換器（室外熱交換器）
２４  プロペラファン
３１  背面パネル体（端面材）
３１Ａ，３２Ａ，３３Ａ３，３３Ｂ３  上端面（天面）
３２  側面パネル体（側面材）
３３  天面パネル体
４０  フラットファンガード（ファンガード）
６０  端部
６１  凸片
７０  下端
７１  孔部
７２  ビス
【図１】
2014129923.tif 000003
【図２】
2014129923.tif 000004
【図３】
2014129923.tif 000005
【図４】
2014129923.tif 000006
【図５】
2014129923.tif 000007
【図６】
2014129923.tif 000008
【図７】
2014129923.tif 000009
【図８】
2014129923.tif 000010
【図９】
2014129923.tif 000011
【図１０】
2014129923.tif 000012